(57)【要約】【課題】表示品位を向上できる液晶表示装置を提供する。【解決手段】液晶表示装置10は、アレイ基板11、アレイ基板11に対向する対向基板12、およびアレイ基板11と対向基板12との間に介在された液晶層13を備える。アレイ基板11の液晶層13側に反射画素電極17を形成し、対向基板12の液晶層13側に透明電極22を形成するとともに、透明電極22の液晶層13側に金属薄膜23を形成する。【選択図】図１
2015102799.tif 000002
【特許請求の範囲】
【請求項１】
第１の基板と、
前記第１の基板に対向する第２の基板と、
前記第１の基板と前記第２の基板との間に介在された液晶層と
を具備し、
前記第１の基板の前記液晶層側に反射画素電極が形成され、
前記第２の基板の前記液晶層側に透明電極が形成されるとともに、前記透明電極の前記液晶層側に金属薄膜が形成された
ことを特徴とする液晶表示装置。
【請求項２】
前記反射画素電極の仕事関数と前記金属薄膜の仕事関数とが同一である
ことを特徴とする請求項１記載の液晶表示装置。
【請求項３】
前記透明電極の材質がＩＴＯであり、
前記反射画素電極の材質および前記金属薄膜の材質が、アルミニウム、銀、それらアルミニウムまたは銀を一成分とする化合物、それらアルミニウムまたは銀を一成分とする合金のいずれか一である
ことを特徴とする請求項１または２記載の液晶表示装置。
【請求項４】
前記反射画素電極の前記液晶層側および前記金属薄膜の前記液晶層側にそれぞれ液晶配向性を有する導電性高分子膜が形成された
ことを特徴とする請求項１ないし３いずれか一記載の液晶表示装置。
【発明の詳細な説明】
【技術分野】
【０００１】
本発明の実施形態は、液晶層を介して反射画素電極と透明電極とが対向する液晶表示装置に関する。
【背景技術】
【０００２】
従来、液晶表示装置では、液晶層を介して反射画素電極と透明電極とが対向し、前面側の入射光を反射させて表示する反射型液晶表示装置や半透過型液晶表示装置がある。
【０００３】
このような液晶表示装置では、反射画素電極の仕事関数と透明電極の仕事関数との差が大きいと、反射画素電極と透明電極との間の液晶層にオフセット電圧が印加されることになり、液晶層に印加される交流波形の正の波高値と負の波高値との間にズレが生じ、フリッカが発生し、表示品位が低下する。
【先行技術文献】
【特許文献】
【０００４】
【特許文献１】特開２００３−３１５７６６号公報
【発明の概要】
【発明が解決しようとする課題】
【０００５】
本発明が解決しようとする課題は、表示品位を向上できる液晶表示装置を提供することである。
【課題を解決するための手段】
【０００６】
本実施形態の液晶表示装置は、第１の基板と、第１の基板に対向する第２の基板と、第１の基板と第２の基板との間に介在された液晶層とを具備し、第１の基板の液晶層側に反射画素電極が形成され、第２の基板の液晶層側に透明電極が形成されるとともに、透明電極の液晶層側に金属薄膜が形成されたものである。
【図面の簡単な説明】
【０００７】
【図１】一実施形態を示す液晶表示装置の断面図である。
【発明を実施するための形態】
【０００８】
以下、一実施形態を、図１を参照して説明する。
【０００９】
図１には、液晶表示装置10として、反射型液晶表示装置を示す。
【００１０】
液晶表示装置10は、第１の基板としてのアレイ基板11、このアレイ基板11に対向する第２の基板としての対向基板12、およびこれらアレイ基板11と対向基板12との間に介在された液晶層13を備えている。液晶表示装置10には、複数の画素（副画素）がマトリクス状に配設されて画像を表示可能な表示領域が形成されている。
【００１１】
アレイ基板11は、ガラス基板16を備えているとともに、このガラス基板16の液晶層13側に、格子状に形成された複数の配線部、複数の画素（副画素）を構成する反射画素電極17、およびこれら反射画素電極17をそれぞれ駆動するスイッチング素子である薄膜トランジスタ（ＴＦＴ）等を備えている。反射画素電極17は、アルミニウムや銀等の反射率の高い金属材料で形成されている。
【００１２】
また、対向基板12は、ガラス基板20を備えているとともに、ガラス基板20の液晶層13側に、カラーフィルタ層21、このカラーフィルタ層21上に形成された共通電極である透明電極22、この透明電極22を被覆するように透明電極22上に形成された金属薄膜23等を備えている。
【００１３】
カラーフィルタ層21は、例えば赤、緑、青、あるいは赤、緑、青、白等のそれぞれに対応するフィルタ部と、これらフィルタ部間を区画し不要光を遮断する遮光部とを有し、各フィルタ部が各反射画素電極17に対応してそれぞれ形成されている。
【００１４】
透明電極22は、全ての反射画素電極17に共通な共通電極であり、全ての反射画素電極17に対応する領域に例えばＩＴＯ（インジウム錫酸化物）等の透明導電材料にて形成されている。
【００１５】
金属薄膜23は、反射画素電極17の仕事関数と同一となる材質、あるいは仕事関数が近い材質で形成されている。すなわち、金属薄膜23は、反射画素電極17の材質がアルミニウムの場合、同じ材質であって仕事関数が同一のアルミニウムが用いられるのが好ましく、反射画素電極17の材質が銀の場合、同様に銀が用いられるのが好ましい。ただし、液晶層13にオフセット電圧が印加されない程度に仕事関数を揃えることが肝要なのであって、必ずしも同一の材料を用いることを必須とするものではない。
【００１６】
仕事関数は、表面原子密度の違いにより範囲があり、アルミニウムの場合には４.０６〜１．２８ｅＶ、銀の場合４.２６〜４．７４ｅＶの範囲にある。透明電極22がＩＴＯの場合の仕事関数は４.６〜５．２ｅＶの範囲にある。
【００１７】
金属薄膜23の膜厚は、例えば１０ｎｍ以下、好ましくは５ｎｍ程度である。ただし、透明電極22を良好に被覆できる限りにおいて、光通過率を確保するという点ではできるだけ薄くすることが好ましい。
【００１８】
また、液晶層13は、例えばＴＮモード等の各種モードを用いることができる。
【００１９】
そして、このように構成された液晶表示装置10では、透明電極22を被覆して金属薄膜23を形成しているため、反射画素電極17に対して透明電極22が異なる材質であって異なる仕事関数であっても、アレイ基板11および対向基板12の液晶層13側の最表面において反射画素電極17と金属薄膜23との仕事関数を同一または仕事関数の差を小さくすることが可能となる。
【００２０】
このように、反射画素電極17と金属薄膜23との仕事関数を同一または仕事関数の差を小さくできれば、反射画素電極17と透明電極22との間の液晶層13に印加されるオフセット電圧が低減されて、フリッカの発生が抑制され、表示品位を向上できる。
【００２１】
高い表示品位を確保するには、反射画素電極17の仕事関数と金属薄膜23の仕事関数とが同一であることが好ましい。例えば、透明電極22の材質がＩＴＯであっても、反射画素電極17および金属薄膜23がそれぞれアルミニウムまたは銀等の同一材質とすることにより、仕事関数を同一にすることができる。
【００２２】
また、オフセット電圧が低減されて、フリッカの発生が十分に抑制することが可能であれば、反射画素電極17と金属薄膜23との仕事関数とが同一でなくてもよい。例えば、反射画素電極17をアルミニウム、金属薄膜23を銀としてもよい。また、反射画素電極17と金属薄膜23とは、アルミニウムまたは銀を含む化合物、あるいは合金であってもよい。
【００２３】
なお、反射画素電極17の液晶層13側および金属薄膜23の液晶層13側にそれぞれ液晶配向性を有する導電性高分子膜が形成してもよい。
【００２４】
また、本実施形態の液晶表示装置の構成は、反射型液晶表示装置に限らず、半透過型液晶表示装置にも適用でき、同様の作用効果を得ることができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
10    液晶表示装置
11    第１の基板としてのアレイ基板
12    第２の基板としての対向基板
13    液晶層
17    反射画素電極
22    透明電極
23    金属薄膜
【図１】
2015102799.tif 000003